(57)【要約】【課題】  チェーンの取付作業時に容易にチェーンの両端を引き寄せることのできる軽量且つ簡単な構造のチェーン取付治具を提供する。【解決手段】  １本の直棒状ボルト２と、該直棒状ボルト２に螺合される一対のナット３Ａ，３Ｂと、該ナット３Ａ，３Ｂ間に位置して前記直棒状ボルト２に対して遊嵌され且つチェーン１のローラ部１ａに係合する係合爪５Ａ，５Ｂをそれぞれ有する一対の係合部材４Ａ，４Ｂとを備えてチェーン取付治具構成し、係合爪５Ａ，５Ｂをチェーン１の両端のローラ部１ａ，１ａに係合させる作業と、ナット３Ａ，３Ｂを回転させる作業とにより、簡単にチェーン１の取付を行うことができるようにしている。【選択図】        図１
2006062014.tif 000002
【特許請求の範囲】
【請求項１】
１本の直棒状ボルトと、該直棒状ボルトに螺合される一対のナットと、該ナット間に位置して前記直棒状ボルトに対して遊嵌され且つチェーンのローラ部に係合する係合爪を有する一対の係合部材とを備えたことを特徴とするチェーン取付治具。
【請求項２】
前記係合爪は、前記チェーンのローラ部の形状に合わせた円弧部を有していることを特徴とする請求項１記載のチェーン取付治具。
【発明の詳細な説明】
【技術分野】
【０００１】
本願発明は、チェーン取付作業時に使用されるチェーン取付治具に関するものである。
【背景技術】
【０００２】
一般に、コンベアチェーン等の各種チェーンを取り付けるためには、チェーンの両端を引き寄せて端部同士をピンにより結合する必要がある。このチェーン取付作業時には、チェーンの両端を引き寄せるために、チェーンブロック、ワイヤー、針金等が使用されていたが、チェーンが張れてきた時点でこれらの道具が、チェーンの継ぎ込み作業の邪魔になったり、特に大型のチェーンの場合、複数の作業者を必要とするところから、作業性が悪く、時間がかかっていた。
【０００３】
チェーン取付治具としては、チェーンの両端に引っかけるための一対の係合部材と治具本体とをネジを介して連結し、治具本体を回転させることにより両係合部材の距離を調整することにより、チェーンの両端の距離を調整し得るように構成したものが提案されている（特許文献１参照）。
【０００４】
【特許文献１】特開２０００−４２９３９
【発明の開示】
【発明が解決しようとする課題】
【０００５】
ところが、上記特許文献１に開示されているチェーン取付治具の場合、治具全体の構成が大型化するところから、重量もかさみ、作業性に問題がある。また、係合部材の取り換えができないので、各種の規格のチェーンに対応させることができないという不具合もある。また、チェーンの張力が直接治具本体のネジ部分にかかるため、治具本体の回転に相当の力を要するという不具合もある。
【０００６】
本願発明は、上記の点に鑑みてなされたもので、チェーンの取付作業時に容易にチェーンの両端を引き寄せることのできる軽量且つ簡単な構造のチェーン取付治具を提供することを目的としている。
【課題を解決するための手段】
【０００７】
本願発明では、上記課題を解決するための第１の手段として、１本の直棒状ボルトと、該直棒状ボルトに螺合される一対のナットと、該ナット間に位置して前記直棒状ボルトに対して遊嵌され且つチェーンのローラ部に係合する係合爪を有する一対の係合部材とを備えて構成している。
【０００８】
上記のように構成したことにより、一対の係合部材における係合爪をチェーンの両端におけるローラ部に係合させた状態で、直棒状ボルトに螺合された一方(あるいは、両方)のナットを回転させて、両ナット間の距離を調整（即ち、短縮）すると、該両ナットの移動に伴って係合部材の距離が短縮され、その結果、チェーン両端の距離も短縮されて、チェーンが張り出されることとなる。そして、チェーン両端が重合した状態において、チェーン両端を結合ピンにより結合すると、チェーンの取付が完了する。従って、係合爪をチェーン両端のローラ部に係合させる作業と、ナットを回転させる作業とにより、簡単にチェーンの取付を行うことができる。しかも、１本の直棒状ボルトと一対の係合部材と一対のナットとにより構成されているため、小型軽量化が可能となり、狭い場所でも容易に作業を行うことができる。また、直棒状ボルトおよびナットは、市販品を使用できるところから、コスト的にも極めて有利である。また、治具本体が１本の直棒状ボルトで構成されているところから、強度があり、耐久性に優れたものとなる。また、チェーンの張力は、係合部材にかかり、ナットに直接かからないところから、ナットの回転が容易となる。
【０００９】
本願発明では、さらに、上記課題を解決するための第２の手段として、上記第１の手段を備えたチェーン取付治具において、前記係合爪を、前記チェーンのローラ部の形状に合わせた円弧部を有して構成することもでき、そのように構成した場合、係合爪をチェーンのローラ部に係合させたとき、チェーンから外れるということがなくなるとともに、チェーンの規格に合わせて、数種類の係合爪を有する部材を用意しておけば、係合部材の交換だけで、各種の規格のチェーンに対応させることができる。
【発明の効果】
【００１０】
本願発明の第１の手段によれば、１本の直棒状ボルトと、該直棒状ボルトに螺合される一対のナットと、該ナット間に位置して前記直棒状ボルトに対して遊嵌され且つチェーンのローラ部に係合する係合爪を有する一対の係合部材とを備えて構成し、一対の係合部材における係合爪をチェーンの両端におけるローラ部に係合させた状態で、直棒状ボルトに螺合された一方(あるいは、両方)のナットを回転させて、両ナット間の距離を調整（即ち、短縮）し、該両ナットの移動に伴って係合部材の距離を短縮することにより、チェーン両端の距離を短縮して、チェーンの張り出しを行うようにしたので、係合爪をチェーン両端のローラ部に係合させる作業と、ナットを回転させる作業とにより、簡単にチェーンの取付を行うことができるという効果がある。しかも、１本の直棒状ボルトと一対の係合部材と一対のナットとにより構成されているため、小型軽量化が可能となり、狭い場所でも容易に作業を行うことができるという効果もある。また、直棒状ボルトおよびナットは、市販品を使用できるところから、コスト的にも極めて有利となるという効果もある。また、治具本体が１本の直棒状ボルトで構成されているところから、強度があり、耐久性に優れたものとなるという効果もある。また、チェーンの張力は、係合部材にかかり、ナットに直接かからないところから、ナットの回転が容易となるという効果もある。
【００１１】
本願発明の第２の手段におけるように、上記第１の手段を備えたチェーン取付治具において、前記係合爪を、前記チェーンのローラ部の形状に合わせた円弧部を有して構成することもでき、そのように構成した場合、係合爪をチェーンのローラ部に係合させたとき、チェーンから外れるということがなくなるとともに、チェーンの規格に合わせて、数種類の係合爪を有する係合部材を用意しておけば、係合部材の交換だけで、各種の規格のチェーンに対応させることができる。
【発明を実施するための最良の形態】
【００１２】
以下、添付の図面を参照して、本願発明の好適な実施の形態について説明する。
【００１３】
このチェーン取付治具は、例えばコンベア用のチェーン１の両端を結合する際に用いられるものであり、図１および図２に示すように、１本の直棒状ボルト２と、該直棒状ボルト２に螺合される一対のナット３Ａ，３Ｂと、該ナット３Ａ，３Ｂ間に位置して前記直棒状ボルト２に対して遊嵌され且つチェーン１のローラ部１ａに係合する係合爪５Ａ，５Ｂをそれぞれ有する一対の係合部材４Ａ，４Ｂとを備えて構成されている。符号６はチェーン１の一面に溶接等により取り付けられた搬送用プレートである。前記直棒状ボルト２およびナット３としては、市販品が使用される。
【００１４】
前記各係合部材４Ａ，４Ｂは、同構造とされており、前記直棒状ボルト２に遊嵌される金属製の筒体７Ａ，７Ｂと、該筒体７Ａ，７Ｂに対して溶接等によりそれぞれ一体結合された金属製の係合爪５Ａ，５Ｂとからなっており、該係合爪５Ａ，５Ｂは、前記チェーン１のローラ部１ａの形状に合わせた円弧部８Ａ，８Ｂをそれぞれ有して構成されている。
【００１５】
上記のように構成されたチェーン取付治具においては、次のような作用効果が得られる。
【００１６】
まず、図３に示すように、一対の係合部材４Ａ，４Ｂの一方（即ち、係合部材４Ｂ）を取り外した状態で、他方の係合部材４Ａを一方のナット３Ａにより直棒状ボルト２の所定位置に位置決めしつつ、当該係合部材４Ａにおける係合爪５Ａをチェーン１の一端側のローラ部１ａに係合させる。
【００１７】
ついで、図４に示すように、他方の係合部材４Ｂを、直棒状ボルト２に対して係合部材４Ａの反対側から遊嵌し、当該係合部材４Ｂにおける係合爪５Ｂを、チェーン１の他端側のローラ部１ａに係合し、チェーン１の他端を一端側に手動により引き寄せる。
【００１８】
その後、他方のナット３Ｂを直棒状ボルト２に螺合させて、他方の係合部材４Ｂに当接させると、図１の状態となる。この状態において、直棒状ボルト２に螺合された他方のナット３Ｂを回転させて、両ナット３Ａ，３Ｂ間の距離を調整（即ち、短縮）すれば、該両ナット３Ａ，３Ｂの移動に伴って係合部材４Ａ，４Ｂの距離が短縮され、チェーン１の両端の距離も短縮され、チェーン１の張り出しが得られる。そして、図１に仮想線で示すように、チェーン１の両端が重合した状態において、チェーン１の両端を結合ピン（図示省略）により結合すると、チェーン１の取付が完了するのである。なお、本説明では、一方のナット３Ａあるいは３Ｂのみを回転させるようにしているが、両方のナット３Ａ，３Ｂを同時に回転させるようにすれば、チェーン取付作業を迅速に行うことができる。
【００１９】
上記したように、本実施の形態にかかるチェーン取付治具を用いると、係合爪５Ａ，５Ｂをチェーン１の両端のローラ部１ａ，１ａに係合させる作業と、ナット３Ａ，３Ｂを回転させる作業とにより、簡単にチェーン１の取付を行うことができる。しかも、チェーン取付治具が、１本の直棒状ボルト２と一対の係合部材４Ａ，４Ｂと一対のナット３Ａ，３Ｂとにより構成されることとなっているため、小型軽量化が可能となり、狭い場所でも容易に作業を行うことができる。また、直棒状ボルトおよびナットは、市販品を使用できるところから、コスト的にも極めて有利となる。また、治具本体が１本の直棒状ボルト２で構成されているところから、強度があり、耐久性に優れたものとなる。また、チェーン１の張力は、係合部材４Ａ，４Ｂにかかり、ナット３Ａ，３Ｂに直接かからないところから、ナット３Ａ，３Ｂの回転が容易となる。また、係合爪５Ａ，５Ｂを、チェーン１のローラ部１ａの形状に合わせた円弧部８Ａ，８Ｂを有して構成しているので、係合爪５Ａ，５Ｂをチェーン１のローラ部１ａに係合させたとき、ローラ部１ａから外れるということがなくなるとともに、チェーン１の規格に合わせて、数種類の係合爪５Ａ，５Ｂを有する係合部材４Ａ，４Ｂを用意しておけば、係合部材４Ａ，４Ｂの交換だけで、各種の規格のチェーンに対応させることができる。
【００２０】
上記実施の形態においては、コンベア用チェーンに使用されるチェーン取付治具について説明したが、本願発明は、他の各種規格のチェーンにも適用可能である。
【図面の簡単な説明】
【００２１】
【図１】本願発明の実施の形態にかかるチェーン取付治具をチェーンに取り付けた状態（チェーン取付作業後期の状態）を示す側面図である。
【図２】本願発明の実施の形態にかかるチェーン取付治具の斜視図である。
【図３】本願発明の実施の形態にかかるチェーン取付治具のチェーン取付作業初期の状態を示す側面図である。
【図４】本願発明の実施の形態にかかるチェーン取付治具のチェーン取付作業中期の状態を示す側面図である。
【符号の説明】
【００２２】
１はチェーン
１ａはローラ部
２は直棒状ボルト
３Ａ，３Ｂはナット
４Ａ，４Ｂは係合部材
５Ａ，５Ｂは係合爪
８Ａ，８Ｂは円弧部
【図１】
2006062014.tif 000003
【図２】
2006062014.tif 000004
【図３】
2006062014.tif 000005
【図４】
2006062014.tif 000006